(57)【特許請求の範囲】
【請求項１】
板状のレンズ基体に複数のレンズ要素を一体に作りこんだ複数枚のレンズアレイを重合して成る組合せレンズアレイであって、
前記複数枚のレンズアレイと、
前記複数枚のレンズアレイの相互間を連結すると共に折曲げ可能に構成した折込み連結部と、
を展開した状態で一体成形したことを特徴とする組合せレンズアレイ。
【請求項２】
前記複数枚のレンズアレイは、重合状態で相互に接触し、
前記各レンズアレイは、前記折込み連結部による折込み方向に対して逆反り形状に形成されていることを特徴とする請求項１に記載の組合せレンズアレイ。
【請求項３】
重合方向の最外端に位置する２枚の前記レンズ基体のうちの、少なくとも一方の前記レンズ基体には、他方の前記レンズ基体に対しスナップイン形式で掛止めされ、前記複数枚のレンズアレイの重合状態を維持する掛止部が、一体成形されていることを特徴とする請求項１に記載の組合せレンズアレイ。
【請求項４】
前記各レンズ基体は方形に形成されており、
前記掛止部は、前記レンズ基体の４辺のうち、少なくとも前記折込み連結部を形成した１辺を除く３辺に設けられていることを特徴とする請求項３に記載の組合せレンズアレイ。
【請求項５】
重合方向に隣接する２枚の前記レンズ基体のうちの、一方の前記レンズ基体には位置決めを行うための位置決め凸部が、他方の前記レンズ基体には重合状態で前記位置決め凸部に係合する位置決め凹部が、それぞれ一体成形されていることを特徴とする請求項１に記載の組合せレンズアレイ。
【請求項６】
前記複数枚のレンズアレイは、重合状態で相互に離間し、
重合方向に隣接する２枚の前記レンズ基体のうちの、少なくとも一方の前記レンズ基体には、前記離間距離を維持するスペーサが、一体成形されていることを特徴とする請求項１に記載の組合せレンズアレイ。
【請求項７】
重合方向に隣接する２枚の前記レンズ基体のうちの、他方の前記レンズ基体には、前記スペーサの先端部が嵌合する受け穴が、一体成形されていることを特徴とする請求項６に記載の組合せレンズアレイ。
【請求項８】
重合方向に隣接する２枚の前記レンズ基体のうちの、他方の前記レンズ基体には、前記位置決め凸部が係合する前記位置決め凹部が、光軸のずらし量分離れて複数組一体成形されていることを特徴とする請求項５に記載の組合せレンズアレイ。
【請求項９】
重合方向に隣接する２枚の前記レンズ基体のうちの、他方の前記レンズ基体には、前記スペーサの先端部が嵌合する受け穴が、前記レンズ要素の配設ピッチ分ずれ且つ深さを異にして複数組一体成形されていることを特徴とする請求項６に記載の組合せレンズアレイ。
【請求項１０】
板状のレンズ基体に複数のレンズ要素を一体に作り込んだ複数枚のレンズアレイを重合して成る組合せレンズアレイの製造方法であって、
前記複数枚のレンズアレイと、
前記複数枚のレンズアレイの相互間を連結すると共に折曲げ可能に構成した折込み連結部と、
を展開した状態で一体に成形することを特徴とする組合せレンズアレイの製造方法。
【発明の詳細な説明】
【技術分野】
【０００１】
本発明は、レンズ基体に複数のレンズ要素を一体に作り込んだ前記複数枚のレンズアレイを重合して成る組合せレンズアレイおよび組合せレンズアレイの製造方法に関するものである。
【背景技術】
【０００２】
従来の、組合せレンズアレイは、レンズ基体に複数のレンズ要素を一体に作り込んだ２種類のレンズアレイを、位置合せ（光軸合せ）した状態で貼り合わせて、構成されている（例えば、特許文献１）。この場合、各レンズアレイはガラス等で構成され、上型と下型とから成る２種類の金型を用いて、それぞれ成形されるようになっている。
【特許文献１】特開２００４−１５１３６３号公報
【発明の開示】
【発明が解決しようとする課題】
【０００３】
このような、従来の組合せレンズアレイでは、２種類のレンズアレイを成形すべく２種類の金型を用意する必要があり、製造コストが嵩む問題があった。また、２種類のレンズアレイは、異なる金型で成形されるため、成形条件を全く同一にすることができず、一方のレンズアレイに成形ムラが発生すると、他方のレンズアレイが無駄になるおそれがあった。
【０００４】
本発明は、同一の成形条件で簡単に製造することができる組合せレンズアレイおよび組合せレンズアレイの製造方法を提供することをその課題としている。
【課題を解決するための手段】
【０００５】
本発明の組合せレンズアレイは、板状のレンズ基体に複数のレンズ要素を一体に作りこんだ複数枚のレンズアレイを重合して成る組合せレンズアレイであって、複数枚のレンズアレイと、複数枚のレンズアレイの相互間を連結すると共に折曲げ可能に構成した折込み連結部と、を展開した状態で一体成形したことを特徴とする。
【０００６】
また、本発明の組合せレンズアレイの製造方法は、板状のレンズ基体に複数のレンズ要素を一体に作り込んだ複数枚のレンズアレイを重合して成る組合せレンズアレイの製造方法であって、複数枚のレンズアレイと、複数枚のレンズアレイの相互間を連結すると共に折曲げ可能に構成した折込み連結部と、を展開した状態で一体に成形することを特徴とする。
【０００７】
この構成によれば、複数枚のレンズアレイの相互間を連結する折込み連結部により、複数枚のレンズアレイを一体成形することができるため、複数枚のレンズアレイを、単一の金型により且つ同一の成形条件で簡単に成形することができる。したがって、組合せレンズアレイを構成する複数枚のレンズアレイを、低コストで且つ効率良く製造することができる。また、複数枚のレンズアレイを、各折込み連結部で折り込むことにより、複数枚のレンズアレイを簡単に重合状態とすることができる。
【０００８】
この場合、複数枚のレンズアレイは、重合状態で相互に接触し、各レンズアレイは、折込み連結部による折込み方向に対して逆反り形状に形成されていることが、好ましい。
【０００９】
この構成によれば、折込み連結部を介して、複数枚のレンズアレイを重合させたときに、相互の中心部から強く接触してゆくため、周縁部の接触により中心部が浮き上がることがなく、複数枚のレンズアレイの各レンズ要素を隙間無く接触させることができる。なお、逆反り形状は、同心円状に反らせた形状とすることが、より好ましい。
【００１０】
また、重合方向の最外端に位置する２枚の前記レンズ基体のうちの、少なくとも一方のレンズ基体には、他方のレンズ基体に対しスナップイン形式で掛止めされ、複数枚のレンズアレイの重合状態を維持する掛止部が、一体成形されていることが、好ましい。
【００１１】
この構成によれば、折込み連結部の部分で各レンズアレイを折り込むと共に、掛止部で、最外端の２枚の前記レンズ基体をスナップインで掛け止めすることにより、複数枚のレンズアレイを、接着剤等を用いることなく簡単に重合状態とすることができる。なお、掛止部を単純なフック形状とし、他方のレンズ基体の縁部に外側からフッキングする形態の他、一方のレンズ基体にフックを、他方のレンズ基体にフック受け穴或いはフック受け溝を設ける形態であってもよい。
【００１２】
この場合、各レンズ基体は方形に形成されており、掛止部は、レンズ基体の４辺のうち、少なくとも折込み連結部を形成した１辺を除く３辺に設けられていることが、好ましい。
【００１３】
この構成によれば、複数枚のレンズアレイを簡単に重合状態とすることができると共に、少なくとも３辺に設けられた掛止部により、複数枚のレンズアレイを相互に位置決めすることができる。なお、折込み連結部は、レンズ基体の１辺に相当する幅に形成してもよいが、これより十分に幅狭とし（２本でも可）、この折込み連結部に隣接して掛止部を形成してもよい（この場合には、掛止部を４辺に形成）。
【００１４】
一方、重合方向に隣接する２枚のレンズ基体のうちの、一方のレンズ基体には位置決めを行うための位置決め凸部が、他方のレンズ基体には重合状態で位置決め凸部に係合する位置決め凹部が、それぞれ一体成形されていることが、好ましい。
【００１５】
この構成によれば、重合状態で複数枚のレンズアレイの相互間で、各位置決め凸部と各位置決め凹部が係合するため、複数枚のレンズアレイを精度良く位置決めすることができる。なお、位置決め凸部および位置決め凹部は、各レンズ基体の周縁部に設けられることが好ましく、また環状に形成した単一のものであっても好いし、複数のものであってもよい。
【００１６】
また、複数枚のレンズアレイは、重合状態で相互に離間し、重合方向に隣接する２枚のレンズ基体のうちの、少なくとも一方のレンズ基体には、離間距離を維持するスペーサが、一体成形されていることが、好ましい。
【００１７】
この構成によれば、重合状態におけるレンズアレイ相互の離間距離を規制することができるため、レンズアレイの仕様（設計値）に合せた離間距離に精度良く調整することができる。なお、スペーサは、各レンズ基体の周縁部に設けられることが好ましく、また環状に形成した単一のものであっても好いし、複数のものであってもよい。
【００１８】
この場合、重合方向に隣接する２枚のレンズ基体のうちの、他方のレンズ基体には、スペーサの先端部が嵌合する受け穴が、一体成形されていることが、好ましい。
【００１９】
この構成によれば、スペーサに、上記の位置決め機能を併せ持たせることができる。
【００２０】
同様に、重合方向に隣接する２枚のレンズ基体のうちの、他方のレンズ基体には、位置決め凸部が係合する位置決め凹部が、光軸のずらし量分離れて複数組一体成形されていることが、好ましい。
【００２１】
この構成によれば、位置決め凸部が係合する位置決め凹部により、複数枚のレンズアレイの重合させた状態における光軸のずらし量、すなわち光軸の曲げ調整を行うことができる。
【００２２】
同様に、重合方向に隣接する２枚のレンズ基体のうちの、他方のレンズ基体には、スペーサの先端部が嵌合する受け穴が、レンズ要素の配設ピッチ分ずれ且つ深さを異にして複数組一体成形されていることが、好ましい。
【００２３】
この構成によれば、スペーサの先端部が嵌合する受け穴により、複数枚のレンズアレイの重合させた状態における相互の離間距離、すなわち作動距離の調整を行うことができる。
【発明を実施するための最良の形態】
【００２４】
以下、添付の図面を参照して、本発明の組合せレンズアレイおよびその製造方法について説明する。この組合せレンズアレイは、例えばディスプレイの前方に配置され、ディスプレイの二次元画像を、前方空間に擬似立体画像として結像させるための正立結像レンズとして用いられるものであり、２枚のマイクロレンズアレイを貼り合わせて構成されている。
【００２５】
図１（ａ）は、２枚のマイクロレンズアレイを展開した組合せレンズアレイの成形状態を  図１（ｂ）は、２枚のマイクロレンズアレイを重合した組合せレンズアレイの完成状態を、それぞれ表している。組合せレンズアレイ１は、透光性の樹脂等で構成され、２枚のマイクロレンズアレイ（レンズアレイ）２Ａ，２Ｂと、２枚のマイクロレンズアレイ２Ａ，２Ｂの相互間を折曲げ自在に連結する折込み連結部３と、で一体に形成（一体成形）されている。
【００２６】
同図（ｂ）の上側（同図（ａ）では左側）のマイクロレンズアレイ２Ａは、板状のレンズ基体５に複数（多数）の微小なレンズ要素６をマトリクス状に一体に作りこんだものであり、レンズ基体５の下面周縁部には、四周に亘って下向き接合部７が一体に突出形成されている。同様に、同図（ｂ）の下側（同図（ａ）では右側）のマイクロレンズアレイ２Ｂは、板状のレンズ基体５に複数（多数）の微小なレンズ要素６をマトリクス状に一体に作りこんだものであり、レンズ基体５の上面周縁部には四周に亘って上向き接合部８が一体に突出形成されている。
【００２７】
各レンズ基体５は方形に形成される一方、各レンズ要素６は、レンズ基体５の表裏両面に形成した球面或いは非球面の一対のレンズ凸部６ａ，６ａで構成されている。下向き接合部７は、レンズ基体５の下面において複数のレンズ要素６を囲むように枠状に突出しており、その下端部には、断面「Ｖ」字状の接合溝７ａが形成されている。同様に、上向き接合部８は、レンズ基体５の上面において複数のレンズ要素６を囲むように枠状に突出しており、その上端部には、上記の接合溝７ａと相補的形状を為す山型の接合突起８ａが形成されている。
【００２８】
折込み連結部３は、各レンズ基体５に比して十分に薄肉に形成され、両マイクロレンズアレイ２Ａ，２Ｂの折曲げ（折込み）を許容可能な長さに形成されている。この場合、折込み連結部３は、各レンズ基体５の幅（１の辺）と同幅に形成してもよいし、狭幅に形成してもよく、さらには、帯状の複数のもので構成してもよい（図５参照）。
この折込み連結部３を折り曲げて、２枚のマイクロレンズアレイ２Ａ，２Ｂをその接合溝７ａと接合突起８ａが接合するように重合すると、上側のマイクロレンズアレイ２Ａの各レンズ要素６と下側のマイクロレンズアレイ２Ｂの各レンズ要素６とが、光軸を合致させた状態で接触する。この状態で、上側のマイクロレンズアレイ２Ａの下向き接合部７と下側のマイクロレンズアレイ２Ｂの上向き接合部８と、を接合接着（貼り合わせ）することにより、組合せレンズアレイ１が完成する。なお、本実施形態の下向き接合部７および上向き接合部８は、レンズ基体５の周縁部に連続する（環状）ように形成されているが、これを不連続なものとしてもよい。
【００２９】
ここで、図２を参照して、金型を用いた組合せレンズアレイの成形方法（製造方法）を、簡単に説明する。組合せレンズアレイ１は、図１（ａ）に示す展開状態で成形されるようになっており、金型１０は、下側のコア（雄型：下型）１１と上側のキャビティー（雌型：上型）１２とから成り、キャビティー１２の中央部には、折込み連結部３に面する部分に、樹脂を注入するためのスプルー１３が形成されている。展開状態の組合せレンズアレイ１は、スプルー１３から樹脂を注入し、樹脂の硬化後に型抜きを行うことにより、一体に成形される。すなわち、本実施形態の組合せレンズアレイ１の構成要素となる両マイクロレンズアレイ２Ａ，２Ｂ、折込み連結部３、下向き接合部７および上向き接合部８が、上記の金型１０を用いた射出成形により、一体に成形される。
【００３０】
このように成形された組合せレンズアレイ１は、上述のように、折込み連結部３で折り込むようにして、両マイクロレンズアレイ２Ａ，２Ｂを貼り合わせることで、完成する。その際、上側のマイクロレンズアレイ２Ａの下向き接合部７および下側のマイクロレンズアレイ２Ｂの上向き接合部８は、両マイクロレンズアレイ２Ａ，２Ｂの貼合せ部位としての機能の他、上下各レンズ要素６の光軸合せの機能を有し、また両マイクロレンズアレイ２Ａ，２Ｂの貼合せ内部を封止する。また、上記の製造方法によれば、２枚のマイクロレンズアレイ２Ａ，２Ｂを全く同一の成形条件で且つ簡単に成形することができる。したがって、組合せレンズアレイ１を、低コストで且つ効率良く製造することができる。
【００３１】
例えば、図３（ａ）に示すように、各マイクロレンズアレイ２Ａ，２Ｂにおける各レンズ要素６の表裏一対のレンズ凸部６ａ，６ａが、微妙に位置ずれして成形された場合（コア１１とキャビティー１２の横ずれ）でも、同図（ｂ）のように、両マイクロレンズアレイ２Ａ，２Ｂを重合させると、各レンズ要素６，６の光軸が合致（入射側のレンズ凸部６ａと出射側のレンズ凸部６ａとが合致）し、成形ムラを吸収することができる。ここでは、最外端のレンズ（レンズ要素６）の影響が最も大きいため、少なくとも最外端のレンズの光軸が良好に保たれることにより、成形ムラによるレンズ性能の悪化を最小限に抑えることができる。
【００３２】
次に、図４を参照して、第２実施形態に係る組合せレンズアレイについて、説明する。この実施形態の組合せレンズアレイ１では、第１実施形態の組合せレンズアレイ１における下向き接合部７および上向き接合部８に代えて、上側のマイクロレンズアレイ２Ａに掛止部１５が、一体に形成（一体成形）されている。掛止部１５は、レンズ基体５の周端部に内向きのかぎ爪形状に形成され、重合した下側のマイクロレンズアレイ２Ｂの周縁部、すなわちレンズ基体５の周縁部にスナップインで掛け止めされるようになっている（同図（ｂ）参照）。そして、掛止部１５は、レンズ基体５の４辺のうち、少なくとも折込み連結部３を形成した１辺を除く３辺に設けられている。
【００３３】
具体的には、図５（ａ）に示すように、レンズ基体５において折込み連結部３側の１辺を除く３辺の各中間位置に、比較的幅狭とした掛止部１５をそれぞれ形成するようにしてもよいし、同図（ｂ）に示すように、上記の３辺に、比較的幅広とした掛止部１５をそれぞれ形成するようにしてもよい。また、同図（ｃ）に示すように、レンズ基体５の４隅の近傍に、各２個ずつ計８個の掛止部１５を形成するようにしてもよい。
一方、折込み連結部３については、同図（ａ）のように、レンズ基体５の１辺に幅広に形成してもよいし、同図（ｂ）のように、レンズ基体５の１辺に相互に離間して２つ形成してもよい。さらに、同図（ｃ）のように、レンズ基体５の１辺の中間位置に幅狭に形成してもよい。
【００３４】
このような構成では、折込み連結部３で折り込むようにして、両マイクロレンズアレイ２Ａ，２Ｂを重合し、掛止部１５を下側のマイクロレンズアレイ２Ｂの周縁部にスナップインで掛け止めすることにより、両マイクロレンズアレイ２Ａ，２Ｂが接触するようにして貼り合わされる。この場合、掛止部１５をレンズ基体５の３辺あるいは４辺に形成することにより、掛止部１５に位置合せ（光軸合せ）の機能を併せ持たせることができる。また、各掛止部１５を幅広に形成すれば（同図（ｂ））、両マイクロレンズアレイ２Ａ，２Ｂの貼合せ内部にゴミ等が浸入するのを防止することができる。
【００３５】
図６は、第２実施形態の第１変形例を示している。この変形例における組合せレンズアレイ１は、第２実施形態の組合せレンズアレイ１と同様の形態を有しているが、この場合には、両マイクロレンズアレイ２Ａ，２Ｂが、折込み連結部３による折込み方向に対して逆反り形状に、それぞれ形成されている。すなわち、両マイクロレンズアレイ２Ａ，２Ｂは、重合状態で周縁部側が相互に離反するように２次元的に僅かに反るように形成されている。もっとも、重合状態で周縁部側が離反するように３次元的に僅かに反る（中心位置から同心円状に僅かに反る）ように形成することが、より好ましい。
【００３６】
このような構成では、両マイクロレンズアレイ２Ａ，２Ｂを折り込んで重合させたときに、相互の中心部のレンズ要素６から強く接触していくため、スナップインで最終的に周縁部のレンズ要素６が接触したときに中心部が浮き上がることがなく、２枚のマイクロレンズアレイ２Ａ，２Ｂの各レンズ要素６を隙間無く密接させることができる。これにより、組合せレンズアレイ１のレンズ性能が損なわれることがない。
【００３７】
図７は、第２実施形態の第２変形例を示している。この変形例では、上側のマイクロレンズアレイ２Ａに、かぎ爪形状の掛止部１５に代えて鍔付の掛止ピン（掛止部）１７が、下側のマイクロレンズアレイ２Ｂに、掛止ピン１７が抜止め状態で嵌合する掛止穴１８が、それぞれ形成されている（同図（ａ））。掛止ピン１７は、上側のマイクロレンズアレイ２Ａにおけるレンズ基体５の４隅にそれぞれ設けられ、これに対応して、掛止穴１８は、下側のマイクロレンズアレイ２Ｂにおけるレンズ基体５の４隅にそれぞれ設けられている（同図（ｂ））。
【００３８】
このような構成では、両マイクロレンズアレイ２Ａ，２Ｂを重合し、４本の掛止ピン１７を４つの掛止穴１８にスナップインでそれぞれ掛け止めすることにより、両マイクロレンズアレイ２Ａ，２Ｂが密接するようにして貼り合わされる。この場合にも、掛止ピン１７および掛止穴１８に位置合せ（光軸合せ）の機能を併せ持たせることができる。また、両マイクロレンズアレイ２Ａ，２Ｂを貼り合わした後、折込み連結部３を切り落とすことで、突出部分の無い組合せレンズアレイ１を構成することができる。
【００３９】
図８は、第２実施形態の第３変形例を示している。この変形例では、上記の掛止部１５に加えて、上側のマイクロレンズアレイ２Ａにおけるレンズ基体５の周縁部に位置決めピン（位置決め凸部）２１が形成され、これに対応して、下側のマイクロレンズアレイ２Ｂにおけるレンズ基体５の周縁部に位置決めピン２１が嵌合する位置決め孔（位置決め凹部）２２が形成されている。この場合も、位置決めピン２１は、上側のマイクロレンズアレイ２Ａにおけるレンズ基体５の４隅にそれぞれ設けられ、これに対応して、位置決め孔２２は、下側のマイクロレンズアレイ２Ｂにおけるレンズ基体５の４隅にそれぞれ設けられている。
【００４０】
なお、同図（ａ）に示すように、組合せレンズアレイ１の仕様によっては、位置決めピン２１を長く形成し、或いは位置決め孔２２を浅く形成して、両マイクロレンズアレイ２Ａ，２Ｂを離間させるようにしてもよい。この場合には、位置決めピン２１および位置決め孔２２に、両マイクロレンズアレイ２Ａ，２Ｂの位置決め機能とスペーサ機能と、併せ持たせることができる。もちろん、両マイクロレンズアレイ２Ａ，２Ｂの離間距離に合せて掛止部１５の長さも調整される。なお、４つの位置決めピン２１を環状の位置決め突起（第１実施形態の下向き接合部７と同様）とし、４つの位置決め孔２２を環状の位置決め溝としてもよい。
【００４１】
次に、図９および図１０を参照して、第３実施形態に係る組合せレンズアレイについて、説明する。この実施形態の組合せレンズアレイ１では、上記の変形例と同様に、上側のマイクロレンズアレイ２Ａに４つの位置決めピン２１が形成され、下側のマイクロレンズアレイ２Ｂに４つの位置決め孔２２が２組形成されている。また、上記の掛止部１５は設けられておらず、両マイクロレンズアレイ２Ａ，２Ｂは、各位置決めピン２１と各位置決め孔２２とを接着接合することにより、貼り合わされる。
【００４２】
図９に示す組合せレンズアレイ１では、２組の位置決め孔（位置決め孔群）２２ａ，２２ｂが、相互に深さの異なるものとなっており、且つレンズ要素６の配設ピッチ分、位置ずれして配設されている。これにより、各レンズ要素６の光軸を合致させた状態で、両マイクロレンズアレイ２Ａ，２Ｂの離間距離を長短２段階で調整できるようになっている。もちろん、位置決め孔２２を、深さを異にして３組以上設けるようにしてもよい。このようにして、両マイクロレンズアレイ２Ａ，２Ｂの間隙を適宜調整することにより、例えば離間距離を短くすれば上記の作動距離（結像距離）が長くなり、離間距離を長くすれば作動距離が短くなる。
【００４３】
一方、図１０に示す組合せレンズアレイ１では、２組の位置決め孔（位置決め孔群）２２ａ，２２ｂが、同一深さであって各レンズ要素６が微小に位置ずれするように配設されている（図示では、１配設ピッチ＋位置ずれ分）。これにより、各レンズ要素６の光軸を曲げ調整できるようになっている。この場合も、位置決め孔２２を、ずれ量を異にして３組以上設けるようにしてもよい。このようにして、両マイクロレンズアレイ２Ａ，２Ｂの光軸のずれ量を適宜調整することにより、例えば光が出射してゆく角度を調整することができ、使用する用途の自由度を高めることができる。
【００４４】
このような構成では、性質の異なる２種類（複数種類）の組合せレンズアレイ１を、単一の成形物として製造することができる。また、言うまでもないが、図９の組合せレンズアレイ１と図１０の組合せレンズアレイ１との折衷的な組合せレンズアレイ１を構成することも可能である。すなわち、作動距離の調整と光軸を曲げ調整とを同時に行い得る組合せレンズアレイ１を、構成することも可能である。
【００４５】
なお、本実施形態では、２枚のマイクロレンズアレイを重合させた組合せレンズアレイについて説明したが、３枚以上のマイクロレンズアレイを重合させた組合せレンズアレイを構成することも可能である。かかる場合には、複数枚のマイクロレンズアレイを波状に折り込むようにする。また、以上の実施形態を適宜組み合わせた構成とすることも可能である。
【図面の簡単な説明】
【００４６】
【図１】実施形態に係る組合せレンズアレイの展開状態の断面図（ａ）および重合状態の断面図（ｂ）である。
【図２】実施形態に係る組合せレンズアレイを成形するための金型の断面図である。
【図３】実施形態に係る組合せレンズアレイの成形ムラを表した説明図である。
【図４】第２実施形態に係る組合せレンズアレイの展開状態の断面図（ａ）および重合状態の断面図（ｂ）である。
【図５】第２実施形態に係る組合せレンズアレイの重合状態の平面図である。
【図６】第２実施形態の第１変形例に係る組合せレンズアレイの展開状態の断面図（ａ）、重合途中の断面図（ｂ）および重合状態の断面図（ｃ）である。
【図７】第２実施形態の第２変形例に係る組合せレンズアレイの構造図である。
【図８】第２実施形態の第３変形例に係る組合せレンズアレイの断面図である。
【図９】第３実施形態の第１変形例に係る組合せレンズアレイの断面図である。
【図１０】第３実施形態の第２変形例に係る組合せレンズアレイの断面図である。
【符号の説明】
【００４７】
１  組合せレンズアレイ              ２Ａ  マイクロレンズアレイ
２Ｂ  マイクロレンズアレイ              ３  折込み連結部
５  レンズ基体                        ６  レンズ要素
７  下向き接合部                      ８  上向き接合部
１０  金型                            １１  コア
１２  キャビティー                    １５  掛止部
１７  掛止めピン                      １８  掛止穴
２１  位置決めピン                    ２２  位置決め孔
【図１】
0004641950.tif 000002
【図２】
0004641950.tif 000003
【図３】
0004641950.tif 000004
【図４】
0004641950.tif 000005
【図５】
0004641950.tif 000006
【図６】
0004641950.tif 000007
【図７】
0004641950.tif 000008
【図８】
0004641950.tif 000009
【図９】
0004641950.tif 000010
【図１０】
0004641950.tif 000011